(57)【要約】【課題】各電子素子の形状よらず観察作業ができ、緩衝構造の可撓性によって各電子素子と衝突するのを防止でき防止できる対物レンズである接触型レンズの緩衝構造およびその緩衝構造を備える接触型レンズを提供する。【解決手段】緩衝構造２は接触型レンズ１の前端１０に接続される。緩衝構造２は、可撓性を有し、レンズ１に対応する貫通孔２００が形成されたリング本体２０と、リング本体２０下端から外側に拡張して環状に形成された接触部２１と、リング本体２０上端に環状に形成され、レンズ１との接続に使用される嵌合部２２とを備える接触型レンズの緩衝構造。【選択図】図４
0003139250.tif 000002
【実用新案登録請求の範囲】
【請求項１】
接触型レンズに接続される緩衝構造であり、
可撓性を有し、前記レンズに対応する貫通孔が形成されたリング本体と、
前記リング本体下端から外側に拡張して環状に形成された接触部と、
前記リング本体上端に環状に形成され、前記レンズとの接続に使用される嵌合部と、を備えることを特徴とする接触型レンズの緩衝構造。
【請求項２】
前記嵌合部には、上端から上方に延伸した外側嵌合部が環状に設けられ、前記レンズ前端が前記外側嵌合部内に嵌合接続されることを特徴とする請求項１記載の接触型レンズの緩衝構造。
【請求項３】
前記嵌合部には、上端から上方に延伸した内側嵌合部が環状に設けられ、前記内側嵌合部が前記レンズ前端の窓部内に嵌合接続されることを特徴とする請求項１記載の接触型レンズの緩衝構造。
【請求項４】
レンズと、前記レンズ前端に設置される緩衝構造と、を備え、
前記緩衝構造は、可撓性を有するリング本体を備え、前記リング本体上には前記レンズに対応する貫通孔が形成され、前記リング本体下端には外側に拡張した接触部が環状に形成され、前記リング本体上端には嵌合部が環状に形成され、前記嵌合部が前記レンズ前端に接続されることを特徴とする緩衝構造を備える接触型レンズ。
【請求項５】
前記緩衝構造の嵌合部には、外壁面から外側に突縁が環状に設けられ、前記レンズ前端の内部環状面には凹入した溝部が環状に形成され、前記突縁が前記溝部内に嵌合接続されることを特徴とする請求項４記載の緩衝構造を備える接触型レンズ。
【請求項６】
前記緩衝構造の嵌合部には、上端から上方に延伸した外側嵌合部が環状に設けられ、前記レンズ前端が前記外側嵌合部内に嵌合接続されることを特徴とする請求項４記載の緩衝構造を備える接触型レンズ。
【請求項７】
前記緩衝構造の嵌合部には、上端から上方に延伸した内側嵌合部が環状に設けられ、前記内側嵌合部が前記レンズ前端内に嵌合接続されることを特徴とする請求項４記載の緩衝構造を備える接触型レンズ。
【請求項８】
レンズと、
可撓性を有するリング本体を備え、前記リング本体上には前記レンズに対応する貫通孔が形成され、前記リング本体下端には外側に拡張した接触部が環状に設けられ、前記リング本体上端が前記レンズ前端に接続される緩衝構造と、を備えることを特徴とする緩衝構造を備える接触型レンズ。
【考案の詳細な説明】
【技術分野】
【０００１】
本考案はレンズの取付に関し、特に、顕微鏡機器等の対物レンズを対象物の至近距離に設置する所謂接触型レンズの構成部材または取り付け部材として接触型レンズ前端に接続される緩衝構造に関する。
【背景技術】
【０００２】
電子素子または回路板などの検査作業は、精密な顕微鏡機器を至近距離で使用して観察を行ない、製品に問題がないかどうかを検査する。
【０００３】
しかし、各電子素子の形状は異なり、特に、顕微鏡機器が接近する部位は顕微鏡機器を接近させるのに好適な表面または平面となっているわけではないので、検査するとき、レンズ前端が被検査物と衝突し、レンズが斜めになって正確な検査を行なうのが難しくなったり、衝突によって被検査物が破損したりし、検査作業が困難となり、検査作業によって不良品の数量が増加してしまう場合がある。
【０００４】
上述の欠点に鑑み、本考案の考案者は上述の欠点を解決するために研究を重ね、ついに合理的に上述の欠点を解決する本考案を案出した。
【特許文献１】特開２００１−８３３９１号公報
【考案の開示】
【考案が解決しようとする課題】
【０００５】
本考案の目的は、主に、顕微鏡機器等の対物レンズを対象物の至近距離に設置するレンズ前端に緩衝構造であって、緩衝構造は可撓性を有し、且つ柔軟性材料から製造されるので、被検査物と衝突しても損害を受けたり、与えたりすることがなく、レンズを保護できるだけでなく、高い生産率を維持でき、至近距離の検査作業を更に容易にすることができる接触型レンズの緩衝構造およびその緩衝構造を備える接触型レンズを提供することにある。
【課題を解決するための手段】
【０００６】
上記課題を解決するために、本考案は、接触型レンズの緩衝構造を提供するものであり、接触型レンズに接続される緩衝構造であり、可撓性を有し、レンズに対応する貫通孔が形成されたリング本体と、リング本体下端から外側に拡張して環状に形成された接触部と、リング本体上端に環状に形成され、レンズとの接続に使用される嵌合部と、を備える。
【０００７】
上記課題を解決するために、本考案は緩衝構造を備える接触型レンズを提供するものであり、レンズと、可撓性を有するリング本体を備え、リング本体上にはレンズに対応する貫通孔が形成され、リング本体下端には外側に拡張した接触部が環状に設けられ、リング本体上端がレンズ前端に接続される緩衝構造と、を備える。
【考案の効果】
【０００８】
従来技術において、回路板の半田孔または銅箔による回路部分を至近距離で観察する場合、回路板上の各電子素子の高さの影響を受け、レンズを回路板上に水平に設置して検査をするのが困難であった。しかし、本考案の緩衝構造が設置された後は、接触部が各電子素子上に跨設され、同時にリング本体の可撓性によって適度に変形するので、レンズを電子素子の表面上に水平に設置することができ、斜めになったりして観察作業に影響を与えることがない。同時に、緩衝構造の可撓性によって各電子素子と衝突するのを防止できるので、損害を受けたり、与えたりするのを防止できる。
【考案を実施するための最良の形態】
【０００９】
本考案の目的、特徴および効果を示す実施例を図に沿って詳細に説明する。図面は参考および説明の為のものであり、本考案を制限するものではない。
【００１０】
図１は本考案の第１の実施例のレンズおよび緩衝構造を示す立体分解図である。図２は本考案の緩衝構造を示す斜視図である。図３は本考案のレンズおよび緩衝構造を示す断面図である。本考案は、顕微鏡機器等の対物レンズを対象物の至近距離に設置する所謂接触型レンズに関するもので、接触型レンズの緩衝構造およびその緩衝構造を備える接触型レンズを提供するものであり、接触型レンズ１は、前端１０と、接触型レンズ１の前端１０に設置される緩衝構造２と、を備える。
【００１１】
接触型レンズ１は近距離で被検査物を観察するのに使用され、観察時、レンズ１前端１０は被検査物に貼合させる必要があるので被検査物に接触する。本考案は主に接触型レンズ１の前端１０に緩衝構造２を設置したものであり、柔軟性材料から製造された緩衝構造２によって至近距離での観察によってレンズ１と被検査物とが衝突して損害を受けたり、与えたりするのを防止し、更に、レンズ１を被検査物上に水平に設置して観察を行ない易くする。
【００１２】
上述のように、緩衝構造２は可撓性を有する材料から製造され、リング本体２０を備え、リング本体２０上にはレンズ前端１０の窓部に対応する貫通孔２００が形成され、レンズ１による観察を妨害しない構造になっている。リング本体２０の下端には柔軟性を有する接触部２１が環状に一体形成され、接触部２１はリング本体２０から下向に延伸し、外部に拡張して形成され、その底端面には被検査物と接触する表面２１０が設けられ、リング本体２０の可撓性によって被検査物と適度に水平に貼合される。
【００１３】
また、リング本体２０上端には嵌合部２２が環状に一体に形成され、嵌合部２２は緩衝構造２をレンズ１の前端１０に固定するのに使用される。本実施例において、嵌合部２２には外壁面から外側に突縁２２０が環状に設けられ、レンズ１前端１０の窓部内面には内凹した溝部１００が環状に設けられ、緩衝構造２は柔軟性材料から製造されるので、突縁２２０を溝部１００内に押入れ、嵌合部２２をレンズ１の前端１０内に嵌合させて緩衝構造２とレンズ１とを接続させることができる。
【００１４】
上述の構造によって、本考案の実施例の対物レンズである接触型レンズの緩衝構造およびその緩衝構造を備える接触型レンズが構成される。
【００１５】
図４は、本考案の実施例の使用状態を示す断面図である。図４では被検査物を回路板３として例示する。図４から分かるように、回路板３の半田孔または銅箔による回路部分を至近距離で観察する場合、従来技術では回路板３上の各電子素子３０の高さの影響を受け、レンズ１を回路板３上に水平に設置して検査をするのが困難であった。しかし、本考案の緩衝構造２が設置された後は、接触部２１が各電子素子３０上に跨設され、同時にリング本体２０の可撓性によって適度に変形するので、レンズ１を電子素子３０の表面上に水平に設置することができ、斜めになったりして観察作業に影響を与えることがない。同時に、緩衝構造２の可撓性によって各電子素子３０と衝突するのを防止できるので、破損を防止できる。
【００１６】
また、図５は本考案の第２の実施例によるレンズおよび緩衝構造を示す断面図である。主に、緩衝構造２の嵌合部２２の実施例である。本実施例においては、嵌合部２２に上端から上方に延伸した外側嵌合部２２１が環状に設けられ、レンズ１の前端１０を外側嵌合部２２１内に嵌合接続することができる。
【００１７】
また、図６は本考案の第３の実施例によるレンズおよび緩衝構造を示す断面図である。本実施例においては、嵌合部２２に上端から上方に延伸した内側嵌合部２２２が環状に設けられ、内側嵌合部２２２をレンズ１前端１０の窓部内に嵌合接続することができる。
【００１８】
以上の説明から分かるように、従来技術において、回路板の半田孔または銅箔による回路部分を至近距離で観察する場合、回路板上の各電子素子の高さの影響を受け、レンズを回路板上に水平に設置して検査をするのが困難であったが、本考案の実施例の緩衝構造が設置された後は、接触部が各電子素子上に跨設され、同時にリング本体の可撓性によって適度に変形するので、レンズを電子素子の表面上に水平に設置することができ、斜めになったりして観察作業に影響を与えることがなく、各電子素子の形状によらず観察作業が可能である。また、同時に、緩衝構造の可撓性によって各電子素子と衝突するのを防止できるので、損害を受けたり、与えたりするのを防止できる。
【００１９】
以上の説明は本考案の好適な実施例を示すものであり、本考案の範囲を制限するものではない。本考案の明細書および図面の内容に基づいた同等効果の変更は全て本考案の範囲に含まれる。
【図面の簡単な説明】
【００２０】
【図１】本考案の第１の実施例のレンズおよび緩衝構造を示す立体分解図である。
【図２】本考案の緩衝構造を示す斜視図である。
【図３】本考案のレンズおよび緩衝構造を示す断面図である。
【図４】本考案の使用状態を示す断面図である。
【図５】本考案の第２の実施例によるレンズおよび緩衝構造を示す断面図である。
【図６】本考案の第３の実施例によるレンズおよび緩衝構造を示す断面図である。
【符号の説明】
【００２１】
１    接触型レンズ
１０  前端
１００溝部
２    緩衝構造
２０  リング本体
２００貫通孔
２１  接触部
２１０表面
２２  嵌合部
２２０突縁
２２１外側嵌合部
２２２内側嵌合部
３    回路板
３０  電子素子
【図１】
0003139250.tif 000003
【図２】
0003139250.tif 000004
【図３】
0003139250.tif 000005
【図４】
0003139250.tif 000006
【図５】
0003139250.tif 000007
【図６】
0003139250.tif 000008